(57)【要約】【課題】時々刻々と変化するユーザの趣向にあわせて適切なコンテンツデータを提供することができる表示装置及び表示方法を提供すること。【解決手段】この表示装置１０は、再生コンテンツデータαのメタデータｍＡに基づいて、該再生コンテンツデータαに関連する関連コンテンツデータＡ１〜Ａ４を検出するコンテンツ検出部１６と、再生コンテンツデータαに含まれる再生画像Ｍ０を表示画面Ｍに表示させると共に、コンテンツ検出部１６が検出した関連コンテンツデータＡ１〜Ａ４に含まれる関連画像Ｍ１を動画像として表示画面Ｍに表示させる表示制御部１４と、を有し、表示制御部１４は、再生コンテンツデータα，βのメタデータｍＡ，ｍＢの変化に応じてコンテンツ検出部が順次検出する相異なる関連コンテンツデータＡ１〜Ａ４，Ｂ１〜Ｂ３の関連画像Ｍ１を、表示画面Ｍに順次表示させる。【選択図】図３Ａ
2010055491.tif 000002
【特許請求の範囲】
【請求項１】
再生中のコンテンツデータのメタデータに基づいて、該再生中のコンテンツデータに関連する関連コンテンツデータを検出するコンテンツ検出部と、
前記再生中のコンテンツデータに含まれる再生画像を表示画面に表示させると共に、前記コンテンツ検出部が検出した関連コンテンツデータに含まれる関連画像を動画像として前記表示画面に表示させる表示制御部と、
を有し、
前記表示制御部は、前記再生中のコンテンツデータのメタデータの変化に応じて前記コンテンツ検出部が順次検出する相異なる関連コンテンツデータの関連画像を、前記表示画面に順次表示させる、表示装置。
【請求項２】
前記表示制御部は、
前記再生画像と前記関連画像とが重畳しないように、
前記再生画像を前記表示画面の中央領域に表示させ、かつ、
前記関連画像を前記表示画面における前記中央領域の周辺領域に表示させる、請求項１に記載の表示装置。
【請求項３】
前記コンテンツ検出部は、前記再生中のコンテンツデータに対して同一の関連性を有する複数の関連コンテンツデータを検出し、
前記表示制御部は、前記再生画像と共に、前記同一の関連性を有する複数の関連コンテンツデータの関連画像を前記周辺領域に表示させる、請求項２に記載の表示装置。
【請求項４】
前記表示制御部は、前記同一の関連性を有する複数の関連コンテンツデータの関連画像を順次前記周辺領域に表示させる、請求項３に記載の表示装置。
【請求項５】
前記コンテンツ検出部は、前記再生中のコンテンツデータに対して、一の関連性を有する複数の関連コンテンツデータと、他の関連性を有する複数の関連コンテンツデータとを検出し、
前記表示制御部は、前記一の関連性を有する複数の関連コンテンツデータの関連画像を順次前記周辺領域に表示させつつ、同時に、前記他の関連性を有する複数の関連コンテンツデータの関連画像を順次前記周辺領域に表示させる、請求項４に記載の表示装置。
【請求項６】
前記表示制御部は、前記同一の関連性を有する複数の関連コンテンツデータそれぞれのメタデータに基づいて、前記同一の関連性とは異なる一の関連性を相互に有する複数の関連コンテントデータの関連画像を順次前記周辺領域に表示させつつ、同時に、他の関連性を相互に有する複数の関連コンテントデータの関連画像を順次前記周辺領域に表示させる、請求項４に記載の表示装置。
【請求項７】
前記コンテンツ検出部は、更に、前記再生中のコンテンツデータの前又は後に連続して再生されるコンテンツデータのメタデータに基づいて、該連続して再生されるコンテンツデータに関連する関連コンテンツデータを検出し、
前記表示制御部は、前記連続して再生されるコンテンツデータに関連する関連コンテンツデータの関連画像を、前記再生中のコンテンツデータに関連する関連コンテンツデータ前記の関連画像と並べて、前記表示画面に静止画像として表示させる、請求項１〜５に記載の表示装置。
【請求項８】
前記表示制御部は、前記同一の関連性を有する複数の関連コンテンツデータの関連画像を並べて前記周辺領域に表示させる、請求項３に記載の表示装置。
【請求項９】
前記コンテンツ検出部は、前記再生中のコンテンツデータに対して、一の関連性を有する複数の関連コンテンツデータと、他の関連性を有する複数の関連コンテンツデータとを検出し、
前記表示制御部は、前記一の関連性を有する複数の関連コンテンツデータの関連画像を前記周辺領域における前記中央領域の一側に並べて表示させつつ、前記他の関連性を有する複数の関連コンテンツデータの関連画像を前記周辺領域における前記中央領域の他側に並べて表示させる、請求項８に記載の表示装置。
【請求項１０】
前記表示制御部は、前記同一の関連性を有する複数の関連コンテンツデータそれぞれのメタデータに基づいて、前記同一の関連性とは異なる一の関連性を相互に有する複数の関連コンテントデータの関連画像を前記周辺領域における前記中央領域の一側に並べて表示させつつ、他の関連性を相互に有する複数の関連コンテントデータの関連画像を前記周辺領域における前記中央領域の他側に並べて表示させる、請求項８に記載の表示装置。
【請求項１１】
再生中のコンテンツデータのメタデータに基づいて、該再生中のコンテンツデータに関連する関連コンテンツデータを検出するコンテンツ検出ステップと、
前記再生中のコンテンツデータに含まれる再生画像を表示画面に表示させると共に、前記コンテンツ検出ステップで検出された関連コンテンツデータに含まれる関連画像を動画像として前記表示画面に表示させる表示ステップと、
を有し、
前記表示ステップでは、前記再生中のコンテンツデータのメタデータの変化に応じて前記コンテンツ検出ステップで順次検出される相異なる関連コンテンツデータの関連画像を、前記表示画面に順次表示させる、表示方法。
【発明の詳細な説明】
【技術分野】
【０００１】
本発明は、表示装置及び表示方法に関する。
【背景技術】
【０００２】
デジタルレコーダ、デジタルカメラやデジタルビデオカメラの普及により、身の回りの出来事をデジタルデータとして大量に保存することが可能になった。しかし、身の回りにあふれるコンテンツデータは、時々刻々と変化するものであり、大量に保存されたデータにたとえ興味があったとしても、そのデータを取りだして見る機会は限られている。
【０００３】
保存されたコンテンツデータの中から、ユーザが興味を示すことが予想されるコンテンツデータをユーザに提供する技術が、下記特許文献１には記載されている。この特許文献１に記載の技術によれば、予め設定されるユーザプロファイルと、コンテンツデータのメタデータとを照合して、条件に合致するコンテンツデータを断片化したデータとしてユーザに提供する。その結果、ユーザプロファイル、つまり各ユーザに応じたコンテンツデータをユーザに提供することができる。
【０００４】
【特許文献１】特開２００１−１０１１９０号公報
【発明の開示】
【発明が解決しようとする課題】
【０００５】
しかしながら、ユーザの趣味や趣向は時々刻々と変化するものであり、常に一定であるとは限らない。従って、たとえ、ユーザプロファイルと合致するメタデータを有するコンテンツデータが提供されたとしても、それがユーザのその時点での興味の対象に合致するとは限らない。それに、ユーザプロファイルに基づくと言うことは、そのユーザプロファイルが変更されない場合、同じコンテンツデータが何度も繰り返し提供される可能性がある。
【０００６】
そこで、本発明は、上記問題に鑑みてなされたものであり、本発明の目的とするところは、時々刻々と変化するユーザの趣向にあわせて適切なコンテンツデータを提供することが可能な、新規かつ改良された表示装置及び表示方法を提供することにある。
【課題を解決するための手段】
【０００７】
上記課題を解決するために、本発明のある観点によれば、再生中のコンテンツデータのメタデータに基づいて、該再生中のコンテンツデータに関連する関連コンテンツデータを検出するコンテンツ検出部と、上記再生中のコンテンツデータに含まれる再生画像を表示画面に表示させると共に、上記コンテンツ検出部が検出した関連コンテンツデータに含まれる関連画像を動画像として上記表示画面に表示させる表示制御部と、を有し、上記表示制御部は、上記再生中のコンテンツデータのメタデータの変化に応じて上記コンテンツ検出部が順次検出する相異なる関連コンテンツデータの関連画像を、上記表示画面に順次表示させる、表示装置が提供される。
【０００８】
この構成によれば、コンテンツ検索部により、再生中のコンテンツデータのメタデータに基づいて、そのコンテンツデータに関連する関連コンテンツデータを検出することができる。そして、表示制御部により、再生中のコンテンツデータの再生画像を表示画面に表示させると共に、検出した関連コンテンツデータに含まれる関連画像を動画像として表示画面に表示することができる。この際、メタデータが変化すると、コンテンツ検索部は、そのメタデータに基づいて、異なる関連コンテンツデータを順次検出する。そして、表示制御部は、順次検出される相異なる関連データの関連画像を表示画面に順次表示させることができる。従って、再生中のコンテンツデータに関連する関連コンテンツデータを、メタデータが変化する毎に、順次提供することができる。通常、再生されているコンテンツデータに対してユーザは興味を示しており、また、ユーザは、その興味の対象から連想されるものに興味を示すことが多い。そこで、上記表示装置は、再生中のコンテンツデータに関連した関連コンテンツデータを順次提供することができる。また、この際、表示装置によれば、動画像として関連コンテンツが表示されるため、ユーザに、再生中のコンテンツとの関連性を強調して、関連コンテンツを提供することが可能である。
【０００９】
また、上記表示制御部は、上記再生画像と上記関連画像とが重畳しないように、上記再生画像を上記表示画面の中央領域に表示させ、かつ、上記関連画像を上記表示画面における上記中央領域の周辺領域に表示させてもよい。
【００１０】
また、上記コンテンツ検出部は、上記再生中のコンテンツデータに対して同一の関連性を有する複数の関連コンテンツデータを検出し、上記表示制御部は、上記再生画像と共に、上記同一の関連性を有する複数の関連コンテンツデータの関連画像を上記周辺領域に表示させてもよい。
【００１１】
また、上記表示制御部は、上記同一の関連性を有する複数の関連コンテンツデータの関連画像を順次上記周辺領域に表示させてもよい。
【００１２】
また、上記コンテンツ検出部は、上記再生中のコンテンツデータに対して、一の関連性を有する複数の関連コンテンツデータと、他の関連性を有する複数の関連コンテンツデータとを検出し、
上記表示制御部は、上記一の関連性を有する複数の関連コンテンツデータの関連画像を順次上記周辺領域に表示させつつ、同時に、上記他の関連性を有する複数の関連コンテンツデータの関連画像を順次上記周辺領域に表示させてもよい。
【００１３】
また、上記表示制御部は、上記同一の関連性を有する複数の関連コンテンツデータそれぞれのメタデータに基づいて、上記同一の関連性とは異なる一の関連性を相互に有する複数の関連コンテントデータの関連画像を順次上記周辺領域に表示させつつ、同時に、他の関連性を相互に有する複数の関連コンテントデータの関連画像を順次上記周辺領域に表示させてもよい。
【００１４】
また、上記コンテンツ検出部は、更に、上記再生中のコンテンツデータの前又は後に連続して再生されるコンテンツデータのメタデータに基づいて、該連続して再生されるコンテンツデータに関連する関連コンテンツデータを検出し、上記表示制御部は、上記連続して再生されるコンテンツデータに関連する関連コンテンツデータの関連画像を、上記再生中のコンテンツデータに関連する関連コンテンツデータ上記の関連画像と並べて、上記表示画面に静止画像として表示させてもよい。
【００１５】
また、上記表示制御部は、上記同一の関連性を有する複数の関連コンテンツデータの関連画像を並べて上記周辺領域に表示させてもよい。
【００１６】
また、上記コンテンツ検出部は、上記再生中のコンテンツデータに対して、一の関連性を有する複数の関連コンテンツデータと、他の関連性を有する複数の関連コンテンツデータとを検出し、上記表示制御部は、上記一の関連性を有する複数の関連コンテンツデータの関連画像を上記周辺領域における上記中央領域の一側に並べて表示させつつ、上記他の関連性を有する複数の関連コンテンツデータの関連画像を上記周辺領域における上記中央領域の他側に並べて表示させてもよい。
【００１７】
また、上記表示制御部は、上記同一の関連性を有する複数の関連コンテンツデータそれぞれのメタデータに基づいて、上記同一の関連性とは異なる一の関連性を相互に有する複数の関連コンテントデータの関連画像を上記周辺領域における上記中央領域の一側に並べて表示させつつ、他の関連性を相互に有する複数の関連コンテントデータの関連画像を上記周辺領域における上記中央領域の他側に並べて表示させてもよい。
【００１８】
また、上記課題を解決するために、本発明の別の観点によれば、再生中のコンテンツデータのメタデータに基づいて、該再生中のコンテンツデータに関連する関連コンテンツデータを検出するコンテンツ検出ステップと、上記再生中のコンテンツデータに含まれる再生画像を表示画面に表示させると共に、上記コンテンツ検出ステップで検出された関連コンテンツデータに含まれる関連画像を動画として上記表示画面に表示させる表示ステップと、を有し、上記表示ステップでは、上記再生中のコンテンツデータのメタデータの変化に応じて上記コンテンツ検出ステップで順次検出される相異なる関連コンテンツデータの関連画像を、上記表示画面に順次表示させる、表示方法が提供される。
【発明の効果】
【００１９】
以上説明したように本発明によれば、時々刻々と変化するユーザの趣向にあわせて適切なコンテンツデータを提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
なお、以下で説明する本発明の各実施形態に係る表示装置は、一のコンテンツデータを再生中に、そのコンテンツデータと関連する少なくとも１の関連コンテンツデータを表示させることができる。この表示装置について理解が容易になるように以下では次の順序で説明する。
【００２２】
＜１．第１実施形態＞
［１−１．表示システムの構成］  図１
［１−２．コンテンツデータの例］
［１−３．表示装置の構成］      図２，図３Ａ〜図３Ｃ
［１−４．表示装置の動作］      図４
［１−５．表示装置の動作の例］  図５Ａ〜図５Ｆ
［１−６．効果の例］
＜２．第１実施形態の変更例等＞
［２−１．第１変更例］          図６Ａ
［２−２．第２変更例］          図６Ｂ
［２−３．第３変更例］          図６Ｃ
［２−４．第４変更例］          図７Ａ
［２−５．第５変更例］          図７Ｂ
［２−６．第６変更例］          図７Ｃ
【００２３】
＜１．第１実施形態＞
［１−１．表示システムの構成］
まず、図１を参照しつつ、本発明の第１実施形態に係る表示装置について説明するために、同実施形態に係る表示装置が含まれた表示システムの概要構成について説明する。図１は、本発明の第１実施形態に係る表示システムの概要構成を説明するための説明図である。ただし、図１に示す表示システム１の各構成は、一つのシステムを構成している必要は必ずしも無いが、ここでは説明の便宜上、各構成が一つのシステムを構成しているとして説明する。
【００２４】
図１に示すように、本実施形態に係る表示システム１は、表示装置１０と、コントローラ２と、アンテナ３と、放送局４と、接続線５と、ネットワーク６と、情報配信サーバ７と、を含む。
【００２５】
表示装置１０は、再生されたコンテンツデータに含まれる画像を表示画面に表示する。この際、表示装置１０自身がコンテンツデータを再生する必要は必ずしもなく、表示装置１０は、再生されたコンテンツデータを取得することも可能である。しかしながら、以下では説明の便宜上、表示装置１０自身がコンテンツデータを再生する場合について説明する。
【００２６】
表示装置１０は、ユーザがコントローラ２や表示装置１０の操作ボタン等を操作することにより入力する「操作信号」に応じた動作をすることができる。本実施形態では、コントローラ２に、例えば、少なくとも上下左右の選択ボタンと決定ボタンとが配置されており、ユーザが各ボタンを押下することにより、そのボタンに対応した操作信号がコントローラ２から出力されるものとする。これらの操作信号を受けて表示装置１０は、様々な動作を行うことになる。また、表示装置１０は、ユーザの操作に応じるだけでなく、自動的な動作をもすることは言うまでもない。
【００２７】
表示装置１０は、自身に蓄積したコンテンツデータを表示することも可能であるが、表示させるコンテンツデータを外部から取得することが可能である。この取得元としては、例えば、放送局４、情報配信サーバ７、表示装置１０に接続可能な再生機器・ゲーム機器・記録装置等の外部機器（図示せず）などが挙げられる。しかしながら、コンテンツデータの取得元は、特に限定されるものではなく、コンテンツデータを取得することが可能な所得元であれば様々なものであってもよい。表示装置１０は、図１に示すように、放送局４から無線放送されコンテンツデータが載せられた地上放送波又は衛星放送波等の放送波をアンテナ３で受信して、コンテンツデータを取得することができる。また、放送局４からのコンテンツデータの放送形式は、無線放送に限られるものではなく、例えば、接続線５を介した有線放送、インターネット等のネットワーク６を介した情報配信方法であってもよい。そのために、表示装置１０は、ネットワーク６と接続される。また、ネットワーク６には、様々な情報配信サーバ７が接続されており、表示装置１０は、これらの情報配信サーバ７からコンテンツデータを取得することも可能である。
【００２８】
［１−２．コンテンツデータの例］
次に、本実施形態に係る表示装置１０の具体的な構成について説明する前に、表示装置１０が本実施形態において表示するコンテンツデータの例について説明する。
【００２９】
各コンテンツデータ（以下単に「コンテンツ」ともいう。）には、広い意味での画像が含まれているか、又は、付加されている。画像としては、動画像であってもよいし、静止画像であってもよい。
【００３０】
コンテンツデータに動画像が含まれる場合、１つのコンテンツデータは、例えば、１つの動画として再生される１つの単位（例えばシーン・チャプター・録画単位など）であってもよい。つまり例えば、１つの番組・映画・録画等に含まれる複数のシーンのそれぞれは、１のコンテンツデータに相当する。なお、この動画像を含むコンテンツデータの例としては、例えば、放送や有線放送される番組の各シーン・映画等に含まれる各チャプター・ユーザが作成した動画像のコンテンツデータ・ユーザが入手可能な動画像のコンテンツデータなどが挙げられる。
【００３１】
一方、コンテンツデータに静止画像が含まれる場合、１つのコンテンツデータは、１枚の静止画像であってもよい。しかし、ここでは、説明の便宜上、特定のメタデータが共通しており通常ひとまとまりで取り扱われることが多い複数枚の静止画像のまとまりを、１つのコンテンツデータとして説明する。このようなコンテンツデータの例としては、例えば、同一のイベント中に撮影された複数の静止画像・１つのフォルダにまとめられた複数枚の静止画像・１の表示リストに含められた複数枚の静止画像・１のアルバムを形成している複数枚の静止画像などが挙げられる。なお、この１のコンテンツデータは、それに含まれる複数枚の静止画像を、スライドショーのように所定時間間隔毎に順次表示されることにより、動画像として表示される。
【００３２】
つまり、本実施形態において、「動画像」としての再生や表示には、動画像のコンテンツデータを再生して表示することと、複数枚の静止画像のコンテンツデータの各静止画像を順次再生して表示することと、の双方が含まれるものとする。一方、「静止画」としての再生や表示には、動画像のコンテンツデータの１カット（一静止画像）を再生して表示することと、複数枚の静止画像のコンテンツデータの一枚の静止画像を再生して表示することとが含まれるものとする。
【００３３】
なお、コンテンツデータは、画像を主として含むデータである必要はない。例えば、コンテンツデータが主として音楽データを含む場合も、本実施形態に係る表示装置１０は、このコンテンツデータを表示することが可能である。この場合、１の音楽データには、名称・ジャンル・アーティスト・アルバム名等のメタデータや、その音楽のジャケット写真やロゴ、イメージ写真、アーティストの写真などの静止画像が付加されている。そこで、表示装置１０は、そのメタデータ・ジャケット写真・ロゴ・イメージ写真・アーティストの写真等を、その音楽データの１の静止画像として扱う。このことは、音楽データを含むコンテンツだけでなく、例えば表示装置１０により実行される実行データ（いわゆるソフトウエア）やテキストデータであっても同様である。従って、以下ではこれらのデータは、静止画像の場合と同様に扱うものとして説明する。ただし、一のコンテンツに静止画と動画とが混在していたとしても良い。
【００３４】
（メタデータについて）
各コンテンツデータには、メタデータが付加されているか、対応付けられている。
「メタデータ」とは、コンテンツの属性や特徴を表したデータのことで、例えば、テキストデータしてコンテンツデータに付加されるか、対応付けられている。メタデータとしては、例えば、そのコンテンツの名称・コンテンツの種別（ジャンル）・コンテンツの概略・出演者や制作者に関する情報・コンテンツが対象としている視聴者層・コンテンツに関連して視聴者に提供する情報・放送形式や取得方法・コンテンツデータの再生に要する時間長・コンテンツが録画又は録音された時点・コンテンツデータが発売又は公開された時点・コンテンツデータが取得された時点・コンテンツが流行した時点・コンテンツデータの再生履歴などが含まれる。このようなメタデータは、例えば、ＥＰＳ（電子番組ガイド）であってもよい。
【００３５】
（関連性等について）
一方、本実施形態に係る表示装置１０は、例えば、再生中の一のコンテンツデータを表示している際に、その再生中のコンテンツデータのメタデータに基づいて、その再生中のコンテンツデータに関連する関連コンテンツデータをも表示することができる。そこで、再生中の一のコンテンツデータと、関連コンテンツデータとを区別するために、前者を「視聴コンテンツ（再生中のコンテンツデータの一例）」ともいい、後者を「関連コンテンツ（関連コンテンツデータの一例）」ともいう。そして、視聴コンテンツに含まれる画像を「視聴画像（再生画像の一例）」とも言い、関連コンテンツに含まれる画像を「関連画像」ともいう。また、単に「コンテンツ」という場合、上述のようにコンテンツデータを示し、視聴コンテンツ及び関連コンテンツの両者を含むものとし、単に「画像」という場合、視聴画像及び関連画像の両者を含むものとする。
【００３６】
また、本実施形態に係る表示装置１０は、視聴コンテンツに対する関連性の有無を、視聴コンテンツのメタデータと、関連コンテンツのメタデータとに基づいて判断する。つまり、表示装置１０は、視聴コンテンツのメタデータと、関連コンテンツのメタデータを照合して、そのメタデータが相互に関連しているか否かにより、視聴コンテンツと関連コンテンツとの関連性の有無を判断する。例えば、同一のメタデータであったり、概念的に近いメタデータなどである場合、両メタデータは相互に関連していると判断される。なお、以下では、説明の便宜上、メタデータが同一である場合に、視聴コンテンツと関連コンテンツとが相互に関連していると判断される場合について説明する。ただし、例えば、視聴コンテンツにメタデータが複数付加されている場合、全てのメタデータが一致する必要は必ずしも無い。例えば、一部のメタデータのみが共通する場合にも、視聴コンテンツと関連コンテンツとは相互に関連していると判断される。また、例えば、表示装置１０は、両メタデータの一致度合を参照し、その一致度合が高いもの同士を関連性があると判断してもよい。なお、両コンテンツの関連性の判断に使用されるメタデータは、適宜設定することが可能である。
【００３７】
（グループとメンバについて）
また、本実施形態に係る表示装置１０は、視聴コンテンツに対して関連しうる同一の関連性をそれぞれ有する複数の関連コンテンツを表示することができる。このように同一の関連性をそれぞれ有する複数の関連コンテンツを、ここでは「グループ」ともいう（一の関連性を有する複数の関連コンテンツデータの一例）。また、そのグループに含まれる各関連コンテンツのことを、ここでは「メンバ」ともいう。
【００３８】
このグループとメンバの例を表１に示す。
例えば、１の番組や１の映画（グループ）に含まれる各シーンは、それぞれメンバとなる。この場合、各シーンは相互に、番組又は映画名・作成日・録画日等についてのメタデータで関連している。
また、例えば、１のイベント（グループ）で録画されたホームムービーの各録画単位も、それぞれメンバとなる。各録画単位は相互に、例えば、作成日・作成者・イベント名・ファイル名の一部等のメタデータで関連している。
また、静止画について言えば、例えば、同じイベント（グループ）で撮影された各アルバム又は各スライドショーは、それぞれメンバとなる。この場合、各アルバム又は各スライドショーは相互に、撮影日・撮影者・イベント名・ファイル名の一部等のメタデータで関連している。また、例えば、写真が複数枚格納された各フォルダは、それぞれメンバとなる。この場合、各フォルダは相互に、例えば、フォルダの名称の一部・作成日・作成者名・フォルダ内のファイル名の一部等のメタデータで関連している。
また、静止画に相当するとして扱うファイル等について言えば、例えば、複数の音楽ファイルを順番に再生したり、ひとまとめで再生させる各プレイリストは、それぞれメンバとなる。各プレイリストは相互に、プレイリストの名称・プレイリストのジャンル・プレイリストの作成日・作成者名・プレイリストに含まれる音楽のアーティスト等のメタデータで関連している。また、音楽データが複数まとめられた各アルバムも、それぞれメンバとなる。各アルバムは相互に、アーティスト名・作成者・作成日・購入日・ジャンル・アルバムの名称等のメタデータで関連している。
また、例えば、複数のソフトウエアがひとまとめにされた各パッケージも、それぞれメンバとなる。各パッケージは相互に、製造元・ソフトウエアの内容や機能・製造日・購入日・対応ＯＳ等のメタデータで関連している。
また、例えば、複数のテキストデータが格納された各フォルダも、それぞれメンバとなる。各フォルダは相互に、例えば、フォルダの名称の一部・作成日・作成者名・フォルダ内のファイル名の一部等のメタデータで関連している。
【００３９】
【表１】
2010055491.tif 000003
【００４０】
なお、ここで例示したグループとメンバの例は、あくまで一例であり、様々なバリエーションが考えられる。例えば、種類の異なる複数のファイルが、グループを形成することも可能である。つまり、例えば、動画像の１シーンが静止画のアルバムの一つとしてそのアルバム（メンバ）に含まれる場合も考えられる。また、動画像の１シーンが複数のアルバムと共に１のイベント（グループ）に含まれる場合ももちろんあり得る。つまり、グループに含まれるメンバは、視聴コンテンツに対して関連しうる同一の関連性をそれぞれ有する複数の関連コンテンツであれば、異なる種類のファイルであってもよい。また、本実施形態では上述のように静止画像又は静止画像相当のものを、複数集めて１つの関連コンテンツにしている。この場合１つの関連コンテンツを形成する複数のファイルは、特定のメタデータが共通しており通常ひとまとまりで取り扱われることが多い複数のファイルであれば、異なる種類のファイルであってもよい。
【００４１】
［１−３．表示装置の構成］
次に、図２，図３Ａ〜図３Ｃを参照しつつ、本実施形態に係る表示装置１０の具体的な構成について説明する。図２は、本実施形態に係る表示装置の構成を説明するための説明図である。図３Ａ〜図３Ｃは、本実施形態に係る表示装置の動作を概念的に説明するための説明図である。
【００４２】
図２に示すように、表示装置１０は、コンテンツ記憶部１１と、コンテンツ取得部１２と、再生部１３と、表示制御部１４と、音声出力部１５と、メタデータ取得部１６と、コンテンツ検出部１７と、表示画面Ｍとを有する。
【００４３】
コンテンツ取得部１２は、表示装置１０が表示するコンテンツを取得する。コンテンツ取得部１２は、例えば、ユーザの操作により入力される操作信号に応じて、取得するコンテンツを切り替えることができる。つまり、コンテンツ取得部１２が取得するコンテンツは、ユーザにより選択されたユーザが視聴することを望むコンテンツ（つまり視聴コンテンツ）となる。この際、コンテンツ記憶部１１には、複数のコンテンツが記録されており、コンテンツ取得部１２は、例えば、このコンテンツ記憶部１１から、視聴コンテンツを取得することができる。また、コンテンツ取得部１２は、例えば、コンテンツ記憶部１１以外の放送局４、情報配信サーバ７、表示装置１０に接続可能な再生機器・ゲーム機器・記録装置等の外部機器（図示せず）などから、視聴コンテンツを取得できる。つまり、コンテンツ取得部１２の視聴コンテンツ取得元は、特に限定されるものではない。
【００４４】
なお、コンテンツは、例えば、映像信号・音声信号・メタデータ等の複数の情報がまとめられていたり、圧縮されていたり、暗号化されているなど、コンテンツに含まれる情報が通常では読み取りできない形式である場合可能性もある。その場合、コンテンツ取得部１２は、取得したコンテンツを、例えば、複数の情報に戻したり、解凍したり、複合化するなど、読み取りできる形式に変換してもよい。更に、コンテンツ取得部１２は、放送されたコンテンツを取得する場合、チューナ等の役割を担ってもよい。ただし、このような変換やチューニング機能は、コンテンツ取得部１２がコンテンツを取得する取得元が有してもよいことは、言うまでない。
【００４５】
再生部１３は、コンテンツ取得部１２が取得した視聴コンテンツを再生する。この際、再生部１３は、コンテンツ取得部１２が取得した視聴コンテンツ以外に、後述するコンテンツ検出部１７が検出した１又は２以上のメンバ（関連コンテンツ）を同時に再生することも可能である。また、再生部１３は、複数のコンテンツのうちの１又は２以上を動画像として再生し、他のコンテンツを静止画像として再生することが可能である。なお、動画像として再生するか、静止画像として再生するのかの判断は、再生部１３自身が行ってもよいが、本実施形態では、後述する表示制御部１４が行うものとする。
【００４６】
メタデータ取得部１６は、視聴コンテンツ、つまり再生中のコンテンツデータのメタデータを取得する。この際、メタデータ取得部１６は、例えば、視聴コンテンツに付加されたメタデータを、コンテンツ取得部１２又は再生部１３等から取得する。しかし、メタデータの取得元は、これらの例に限定されるものではない。例えば、視聴コンテンツに対応付けられたメタデータがコンテンツ記憶部１１・外部の情報配信サーバ７・放送局４等に記録されて入手可能な場合、メタデータ取得部１６は、これらから視聴コンテンツに対応付けられたメタデータを取得することが可能である。
【００４７】
コンテンツ検出部１７は、メタデータ取得部１６が取得した視聴コンテンツのメタデータに基づいて、視聴コンテンツに関連する関連コンテンツ（つまりメンバ）を検出する。この際、コンテンツ検出部１７は、視聴コンテンツに対して同一の関連性を有する複数のメンバ（つまりグループ）を検出する。この際、コンテンツ検出部１７は、上記コンテンツ取得部１２と同様に、例えば、コンテンツ記憶部１１、放送局４、情報配信サーバ７、表示装置１０に接続可能な再生機器・ゲーム機器・記録装置等の外部機器（図示せず）などから、メンバを検出する。つまり、コンテンツ検出部１７のメンバ取得元は、特に限定されるものではない。
【００４８】
また、コンテンツ検出部１７は、上記コンテンツ取得部１２と同様に、検出したコンテンツを、例えば、複数の情報に戻したり、解凍したり、複合化するなど、読み取りできる形式に変換してもよい。更に、コンテンツ検出部１７は、放送されたコンテンツを取得する場合、チューナ等の役割を担ってもよい。ただし、このような変換やチューニング機能は、コンテンツ検出部１７がコンテンツを取得する取得元が有してもよいことは、言うまでない。
【００４９】
より具体的にコンテンツ検出部１７によるメンバ検出方法例について説明する。
コンテンツ検出部１７は、視聴コンテンツのメタデータに基づいて、メンバの取得元を検索する。この際、コンテンツ検出部１７は、視聴コンテンツのメタデータが複数存在する場合、１のメタデータを選択して検索に使用することが望ましい。検索に使用するメタデータは、例えば、視聴コンテンツの日付・作成者・取得元・出演者・タイトルの一部又は全部等であってもよいが、特に限定されるものではない。また、検索に使用するメタデータは、予め設定されていてもよいが、例えば、視聴コンテンツのジャンルなどの特定のメタデータの内容に応じて、適宜コンテンツ検出部１７が変更してもよい。そして、コンテンツ検索部１７は、検索に使用するメタデータに関連したメタデータが付加されるか対応付けられたメンバを検出する。この際、コンテンツ検索部１７は、メタデータが一致するメンバだけでなく、例えば、一致度合が高いメンバ、メタデータが概念的に近いメンバ等を、視聴コンテンツに関連したメンバとして検出する。
【００５０】
従って、例えば、視聴コンテンツが一のコンテンツから他のコンテンツへと変更された場合、コンテンツ検出部１７は、視聴コンテンツが変化したことによるメタデータの変化に応じて、相異なるメンバ（グループが異なるメンバ）を順次検出することになる。なお、視聴コンテンツは変化せずともメタデータが変化した場合、コンテンツ検出部１７は、同様に、メタデータの変化に応じて、相異なるメンバを順次検出することになる。
【００５１】
また、コンテンツ検出部１７は、視聴コンテンツに関連するメンバが複数ある場合、それら複数のメンバ、つまりグループを取得する。
【００５２】
更に、コンテンツ検出部１７は、現在の視聴コンテンツの前又は後に連続して再生される視聴コンテンツ（「過去コンテンツ」及び「未来コンテンツ」ともいう。）のメタデータに基づいて、過去又は未来コンテンツに関連するメンバをも検出することが望ましい。例えば、過去コンテンツに関連するメンバを検出する場合、コンテンツ検出部１７は、過去コンテンツが再生されている際に、既に、それに対応するメンバを検出している。よって、この場合、コンテンツ検出部１７は、過去に検出したそのメンバを、検索せずに取得することが可能である。また、未来コンテンツに関連するメンバを検出する場合、上記メタデータ取得部１６は、未来コンテンツのメタデータを、例えば放送局４・情報配信サーバ７・コンテンツ記憶部１１から予め取得することが望ましい。
【００５３】
そして、コンテンツ検出部１７が検出した１又は２以上のグループ（視聴コンテンツ・未来コンテンツ・過去コンテンツに関連するグループ）に含まれる少なくとも１以上のメンバは、再生部１３に出力されて、再生される。
【００５４】
表示制御部１４は、再生部１３により再生された視聴コンテンツの視聴画像及び１以上のメンバの関連画像とを、表示画面Ｍに表示させる。コンテンツ検出部１７が複数のメンバを検出した場合、表示制御部１４は、どのメンバを動画像として再生し、どのメンバを静止画像として再生し、そして、どのメンバを再生しないのかを決定する。またこの際、表示制御部１４は、再生部１３に複数のメンバを動画像又は静止画像として同時に再生させることにより、同一の関連性を有する複数のメンバを同時に表示画面Ｍに表示させることができる。一方、表示制御部１４は、再生部１３に複数のメンバを動画像又は静止画像として順番に再生させることにより、同一の関連性を有する複数のメンバを順番に表示画面Ｍに表示させることができる。この際、表示制御部１４は、メンバの再生順を決定することもできる。再生順の決定としては、メンバ名称順・メンバの配列順・メンバの取得順・メンバのデータサイズ順・通常の再生順などが挙げられる。
【００５５】
本実施形態に係る表示制御部１４は、例えば、以下のように各メンバを再生させて表示させる。つまり、まず、表示制御部１４は、再生部１３に、視聴コンテンツに関連するグループのメンバを、動画像として再生させて、その関連画像を表示画面Ｍに表示させる。一方、表示制御部１４は、未来又は過去コンテンツに関連するグループのメンバを、静止画像として再生させて、その関連画像を表示画面Ｍに表示させる。よって、本実施形態に係る表示制御部１４は、未来又は過去コンテンツに関連するグループのメンバの１つの関連画像を、静止画像として表示装置に表示させる。一方、本実施形態に係る表示制御部１４は、視聴コンテンツに関連するグループ内のメンバの再生順を決定し、その再生順に従って、メンバを１つずつ順番に再生して、その動画像を表示画面Ｍに表示させる。それにより、表示制御部１４は、同一の関連性を有する複数のメンバの関連画像を、表示画面Ｍに表示させる。その結果、表示画面Ｍには、視聴コンテンツの視聴画像が表示されつつ、視聴コンテンツに関連したグループ内のメンバが、順次シームレスで動画像として表示され、そして、未来又は過去コンテンツに関連したメンバの１つが、静止画像として並べられて表示される。
【００５６】
また、上述の通り、視聴コンテンツのメタデータが変更されれば、コンテンツ検出部１７は、そのメタデータの変化に応じて、順次相異なるグループを検出することになる。従って、表示制御部１４は、視聴コンテンツのメタデータが変更された場合、その変更に応じて、順次相異なるグループの各メンバの関連画像を、動画像として順次シームレスに表示画面Ｍに表示させることになる。
【００５７】
この本実施形態に係る表示制御部１４を備えた表示装置１０が表示画面Ｍに表示させるコンテンツの流れについて、図３Ａ〜図３Ｃを参照しつつ説明する。特に、ここでは、視聴コンテンツのメタデータが変更された場合と、そのメタデータは同じであるが、視聴コンテンツに関連したグループ内のメンバが変更される場合について説明する。
【００５８】
図３Ａ〜図３Ｂでは、表示画面Ｍに表示される視聴コンテンツの視聴画像Ｍ０と、その視聴コンテンツと関連するグループのメンバの関連画像Ｍ１との時間軸Ｔに対する移り変わりを概念的に示している。つまり、図３Ａに示すように、視聴コンテンツとして、３つのコンテンツα，β，γが、時間軸Ｔに沿って配置されており、これらのコンテンツが連続して再生・表示される。また、各コンテンツα，β，γには、それぞれメタデータｍＡ，ｍＢ，ｍＣが付加されている。図３Ａに示す時点では、コンテンツαが視聴コンテンツであり、コンテンツβ，γが未来コンテンツである。これに対して、メタデータ取得部１６は、視聴コンテンツαのメタデータｍＡを取得し、コンテンツ検索部１７は、そのメタデータｍＡに基づいて、視聴コンテンツαと関連するグループＡのメンバＡ１〜Ａ４を検索して取得する。なお、ここでは、説明の便宜上、メタデータが一致する場合（例えばメタデータｍＡ）を、視聴コンテンツαに対して関連性を有しているものとする場合を示している。また、表示制御部１４は、メンバＡ１〜Ａ４の再生順を決定して、時間軸Ｔに沿って配置する。
【００５９】
そして、図３Ａに示す時点では、表示制御部１４は、メンバＡ１を再生部１３に動画として再生させて、そのメンバＡ１の関連画像Ｍ１を、視聴コンテンツαの視聴画像Ｍ０と並べて表示画面Ｍに表示させる。
【００６０】
その後、図３Ｂに示す時点では、視聴コンテンツαの再生開始時点ｔ１から再生終了時点ｔ２までの間の時点であるため、視聴コンテンツαのメタデータｍＡは図３Ａと同じである。よって、表示制御部１４は、視聴コンテンツαのグループＡ内のメンバを表示させるが、図３Ｂでは、メンバＡ１の動画再生が終了しているため、次のメンバＢ２を再生部１３に動画像として再生させて、その関連画像Ｍ１を表示画面Ｍに表示させる。
【００６１】
一方、図３Ｃに示す時点では、コンテンツαの再生が終了して、コンテンツβの再生が開始されるため、視聴コンテンツのメタデータがｍＢへと変更されている。その結果、メタデータ取得部１６は、視聴コンテンツβのメタデータｍＢを取得し、コンテンツ検索部１７は、そのメタデータｍＢに基づいて、視聴コンテンツβと関連するグループＢのメンバＢ１〜Ｂ３を検索して取得する。そして、表示制御部１４は、メンバＢ１〜Ｂ３の再生順を決定して、時間軸Ｔに沿って配置する。図３Ｃに示す時点では、表示制御部１４は、メンバＢ１を再生部１３に動画として再生させて、そのメンバＢ１の関連画像Ｍ１を、視聴コンテンツβの視聴画像Ｍ０と並べて表示画面Ｍに表示させる。
【００６２】
また、表示制御部１４は、表示画面Ｍにおける、視聴コンテンツの視聴画像と、再生されるメンバの関連画像等との表示位置を以下のように決定する。つまり、表示制御部１４は、視聴画像（再生画像の一例）と関連画像とが重畳しないように、再生画像を表示画面Ｍの中央領域に表示させ、かつ、関連画像を表示画面Ｍにおける中央領域の周辺領域に表示させる。この際、表示制御部１４は、視聴画像及び関連画像の表示倍利率を調整して、各領域に収まる大きさの画像を表示させる。この表示画面Ｍについては、後述する表示装置１０の動作例において具体的に説明する。
【００６３】
再び、図２を参照して、表示装置１０の残りの構成、つまり音声出力部１５について説明する。
【００６４】
音声出力部１５は、再生部１３が再生している視聴コンテンツに音声信号が含まれる場合、その音声信号を取得して音声出力する。なお、再生部１３が再生するメンバの音声も出力することができるが、本実施形態に係る音声出力部１５は、メンバの音声は出力しないことが望ましい。
【００６５】
［１−４．表示装置の動作］
次に、図４を参照しつつ、本実施形態に係る表示装置１０の動作について説明する。
図４は、本実施形態に係る表示装置の動作を説明するための説明図である。
【００６６】
視聴コンテンツの再生中に、関連コンテンツを取得することを要求する操作信号が入力されると、表示装置１０は、まず、ステップＳ０１を処理する。
【００６７】
ステップＳ０１では、メタデータ取得部１６が、視聴コンテンツのメタデータを取得する。そして、ステップＳ０３に進む。
【００６８】
ステップＳ０３では、メタデータ取得部１６が、過去又は未来コンテンツのメタデータを取得する。そして、ステップＳ０５に進む。
【００６９】
ステップＳ０５では、コンテンツ検索部１７が、視聴コンテンツのメタデータのうち、メンバの検索に使用するメタデータを選択する。また、コンテンツ検索部１７は、過去コンテンツ及び未来コンテンツに対しても、同様に検索に使用するメタデータを選択する。そして、ステップＳ０７に進む。
【００７０】
ステップＳ０７（コンテンツ検出ステップの一例）では、コンテンツ検索部１７が、ステップＳ０５で決定したメタデータに基づいて、視聴、過去及び未来コンテンツのそれぞれに関連するグループ（複数のメンバ）を検出する。そして、ステップＳ０９に進む。
【００７１】
ステップＳ０９では、表示制御部１４が、過去及び未来コンテンツに関連するメンバを、再生部１３に静止画として再生させる。そして、ステップＳ１１に進む。
【００７２】
ステップＳ１１では、表示制御部１４が、視聴コンテンツに関連するグループに含まれる複数のメンバの再生順序を決定する。そして、ステップＳ１３に進む。但し、グループ中にメンバが１つしか含まれない場合、このステップＳ１１は、省略することができる。
【００７３】
ステップＳ１３では、ステップＳ１１で決定した順序に従って、表示制御部１４が、視聴コンテンツに関連するグループの１のメンバを動画像として再生部１３に再生させる。そして、後続のステップＳ１５〜ステップＳ２３（表示ステップの一例）に進む。
【００７４】
ステップＳ１５〜ステップＳ２３では、まず、ステップＳ１５が処理され、このステップＳ１５では、表示制御部１４が、視聴画像を縮小して表示画面Ｍの中央領域に表示させる。そして、ステップＳ１７に進む。
【００７５】
ステップＳ１７では、表示制御部１４が、関連画像を縮小して表示画面Ｍにおける中央領域の周辺領域に表示させる。つまり、表示制御部１４は、視聴コンテンツに関連するメンバの関連画像を動画像として表示画面Ｍに表示させ、他の再生される関連画像を静止画像として表示画面Ｍに表示させる。この際、表示制御部１４は、例えば、視聴コンテンツに関連するメンバの関連画像を動画像をカラーで表示させ、他の再生される関連画像をセピア色や色数の少ない色合いで表示したり、更に縮小して表示することもできる。この場合、表示制御部１４は、視聴コンテンツに関連するメンバの関連画像をより強調することが可能である。そして、ステップＳ１９に進む。
【００７６】
ステップＳ１９では、メタデータ取得部１６により、視聴コンテンツのメタデータが変化したか否かが確認される。メタデータが変化した場合、ステップＳ０１以降の処理が繰り返される一方、メタデータが変化していない場合、ステップＳ２１に進む。
【００７７】
ステップＳ２１では、再生部１３により、視聴コンテンツに関連したグループに含まれ、動画像として再生中のメンバの再生が終了したか否かが確認される。メンバの再生が終了している場合には、ステップＳ１３以降の処理が繰り返される一方、メンバの再生が収容していない場合には、ステップＳ２３に進む。
【００７８】
ステップＳ２３では、表示装置１０により、関連コンテンツの提示動作を終了する捜査信号が入力したか否かが確認される。そして、そのような操作信号が入力した場合には、動作を終了する一方、入力していない場合には、ステップＳ１９以降の処理が繰り返される。
【００７９】
［１−５．表示装置の動作の例］
この動作を通じて表示装置１０が表示させる画像の時間変化及び操作による変化の例について、図５Ａ〜図５Ｆを参照しつつ説明する。図５Ａ〜図５Ｆは、本実施形態に係る表示装置の動作の例を説明するための説明図である。
【００８０】
図５Ａは、動作を開始してステップＳ０１〜ステップＳ１７等が処理された場合に、表示画面Ｍに表示される画像を示している。
【００８１】
図５Ａに示すように、表示画面Ｍの中央領域ＳＰ０には、視聴コンテンツαの視聴画像Ｍ０が表示される。一方、周辺領域ＳＰ１には、視聴コンテンツαに関連したグループＡの１のメンバＡ１が動画像として表示される（関連画像Ｍ１）。なお、マークＰＭは、そのコンテンツが動画像として表示されていることを模式的に示している。この際、動画像として再生される関連画像Ｍ１の近傍（メタデータ表示領域ＳＰｍ）や、その関連画像Ｍ１中には、関連性を検出する際に使用されたメタデータｍＡを表示させて、ユーザに関連性を認識させることが望ましい。また、この視聴コンテンツαに関連したメンバＡ１の側には、それと並べられて、未来コンテンツβに関連したメンバＢ１が静止画像として表示される（関連画像Ｍ２）。この関連画像Ｍ２は、関連画像Ｍ１よりも小さく表示されることが望ましい。
【００８２】
一方、他の周辺領域ＳＰ２〜ＳＰ４には、他の様々な画像が表示可能である。例えば、上方の周辺領域ＳＰ２には、表示装置１０が提供可能な他のコンテンツや他の機能を表したアイコン等が表示される。また、右方の周辺領域ＳＰ３には、表示装置１０が取得可能なＨＰ（ホームページ）等が表示される。更にまた、周辺領域ＳＰ４には、表示装置１０が提供可能な他の動画像等が表示される。ただし、図５Ａに示した周辺領域ＳＰ２〜ＳＰ４に示した画像は、あくまで一例であり、本実施形態はこの例に限定されるものではない。
【００８３】
なお、ここでは、視聴コンテンツαは、ユーザが予めコンテンツ記憶部１１に録画していた番組（１シーンでもよい）であるとして説明する。
【００８４】
そして、所定時間が経過して視聴コンテンツα（１シーン）が終了し、次の視聴コンテンツβが再生された場合を、図５Ｂに示している。図５に示すように、視聴コンテンツがコンテンツαからコンテンツβに変更されると、メタデータが変更される。従って、ステップＳ１９からステップＳ０１以降の処理が再度行われて、図５Ｂのような画像が表示画面Ｍに表示される。つまり、動画像として表示されるメンバは、グループＡのメンバＡ１から、視聴コンテンツβと関連するグループＢのメンバＢ１へと変更される。この際、動画像の関連画像の表示位置は、変更されず、動画像として表示されるメンバのみが移動することが望ましい。つまり、図５Ａから図５Ｂへと移ると、グループＡのメンバＡ１の関連画像Ｍ１はその位置を下方に移動させ、新たな関連画像Ｍ−１（静止画像）として表示されることが望ましい。それに伴い、グループＢのメンバＢ１の関連画像Ｍ２（図５Ａ）はその位置を下方に移動させ、新たな関連画像Ｍ１（動画像）として表示されることが望ましい。一方、図５ＡでメンバＢ１が表示されていた位置には、新たな未来コンテンツに関連するグループＣのメンバＣ１が静止画像として表示されることが望ましい（関連画像Ｍ２）。
【００８５】
そして、更に時間が経過して、動画像として再生・表示されていたメンバＢ１の再生が終了した場合、ステップＳ２１からステップＳ１３以降の処置が行われる。その結果、図５Ｃに示すように、動画像の関連画像Ｍ１としては、メンバＢ１の次に再生されるメンバＢ２が動画像として表示されることになる。
【００８６】
ここで、例えば、メタデータｍＢが作成日（録画日）であり、メンバＢ２が、視聴コンテンツβを録画した頃に行っていた旅行先で撮影したコンテンツで、ユーザがそのコンテンツに興味を示したとする。そして、ユーザは、例えば、視聴コンテンツに対してメンバＢ２が表示されている方向の操作ボタンを選択して、その操作信号を表示装置１０が取得したとする。すると、表示制御部１５は、図５Ｄに示すような映像を表示画面Ｍに表示させる。
【００８７】
つまり、視聴画像Ｍ０は、縮小されて表示画面Ｍの右方領域ＳＰ５へと移動し、関連画像Ｍ−１，Ｍ１，Ｍ２は、拡大されて表示画面Ｍの左方領域ＳＰ６へと移動される。そして、動画像として再生されているメンバＢ２の関連画像Ｍ１の左右には、そのグループＢの他のメンバＢ１，Ｂ３が表示される。ここで、ユーザは、上下左右の操作ボタンを選択することにより、動画像として再生させるメンバを、メンバＢ１から他のメンバＢ１，Ｂ３，Ａ１，Ｃ１へと移動させることができる。図５Ｅでは、ユーザが右方向を表した操作ボタンを選択して同一グループＢのメンバＢ３が動画として再生された場合を示している。このように、表示制御部１４は、上下方向には異なる関連性を有するメンバを並べ、左右方向には同一関連性を有するメンバを並べて表示させることにより、あたかもクロスメディアバー（登録商法）のようなユーザインタフェイスを提供することができる。
【００８８】
図５Ｅに示す状態で、例えば、ユーザが決定を表す操作ボタンを選択した場合、その操作信号に応じて、表示制御部１４は、動画として再生させているメンバＢ３を、図５Ｆに示すように、中央領域ＳＰ０に表示させる。その結果、メンバＢ３は、新たな視聴コンテンツとなり、コンテンツβは、新たな１メンバとなる。その結果、ユーザは、表示装置１０により提示されたコンテンツを楽しむことができる。
【００８９】
［１−６．効果の例］
以上、本発明の第１実施形態に係る表示装置１０について説明した。
この表示装置１０によれば、視聴コンテンツのメタデータの変化に応じて、その視聴コンテンツと関連した関連コンテンツ（メンバ）を提供することができる。通常、ユーザの興味は、視聴しているものと何らかの関連があるものに向けられる。従って、視聴コンテンツが時々刻々と変化すれば、ユーザの興味も時々刻々と変化する。上記表示装置１０によれば、このように時々刻々と変化するユーザの趣向に応じた適切な関連コンテンツを提示することが可能となり、ユーザの好みに応じたコンテンツの視聴機会を増やすことが可能である。また、通常、ユーザの脳は、連想により様々な思考を展開する。従って、このようなコンテンツの提供方法は、その時点でのユーザの趣向にあったコンテンツを提供することができるばかりか、ユーザの脳の動きとも合致しており、脳の老化防止にも役立つことが予想される。
【００９０】
また、この表示装置１０は、視聴コンテンツの視聴画像と、関連コンテンツの関連画像とが重畳しないように表示する。ユーザは、視聴画像を視聴しているのであって、例えば、関連画像がその視聴画像に重畳されたのでは、多大なストレスを受ける恐れがある。一方、この表示装置１０は、視聴画像と関連画像とが重畳しないように表示することにより、ユーザの視聴行為を妨げることなく、ユーザに関連画像を提供することができる。
【００９１】
また、表示装置１０は、視聴コンテンツに関連する関連コンテンツを動画像として視聴コンテンツの周辺領域に表示させることができる。人の静止視力は、視界の中心部分（中心視野）では高いものの、視界の周辺部分（周辺視野・中心外視野）では低くなる。一方、周辺視野の動体視力は、静止視力に比べて非常に高い。従って、本実施形態に係る表示装置１０は、このような人間の視力の特性を利用して、関連コンテンツに対するユーザの認識力を高めることができる。
【００９２】
更に、表示装置１０は、視聴コンテンツの移り変わりにより、動画像として表示させる関連コンテンツを変更する。従って、関連コンテンツの視聴コンテンツとの関連性をユーザに認識させることができる。
【００９３】
また、表示装置１０は、未来コンテンツに関連した関連コンテンツを並べて表示し、視聴コンテンツが未来コンテンツとなった場合、その関連コンテンツを動画像として表示させる。従って、ユーザに、次の視聴コンテンツへの期待や、次に動画像として表示される関連コンテンツへの期待を持たせることができ、新たなコンテンツの提示が可能となる。
【００９４】
更にまた、表示装置１０は、視聴コンテンツに関連する複数の関連コンテンツを動画像として表示することができるため、ユーザに様々な関連コンテンツを提供することが可能となる。
【００９５】
＜２．第１実施形態の変更例等＞
以上、本発明の第１実施形態に係る表示装置１０について説明した。このような表示装置１０は、関連コンテンツの表示方法などにより様々なバリエーションが考えられる。そこで、以下では、このようなバリエーションの幾つかについて説明する。しかしながら、ここで説明するバリエーションは、あくまで一例であることを付言しておく。また、関連コンテンツの表示方法を変更した場合も、表示装置１０は、上記同様に構成可能であるため、ここでは、上記第１実施形態とは異なる点を中心に説明する。
【００９６】
［２−１．第１変更例］
まず、図６Ａを参照しつつ、表示装置１０によりメンバが表示される周辺領域の変更例について説明する。図６Ａは、本実施形態に係る表示装置の第１変更例を説明するための説明図である。
【００９７】
上記第１実施形態では、視聴、過去及び未来コンテンツそれぞれに関連したメンバの表示位置が、表示画面Ｍにおける中心領域ＳＰ０の左方の周辺領域ＳＰ１である場合について説明した。そして、この周辺領域ＳＰ１に、視聴コンテンツに直近の１の過去又は未来コンテンツに関連したメンバが表示される場合について説明した。しかしながら、表示装置１０は、複数の過去コンテンツのメンバ、及び、複数の未来コンテンツのメンバを表示し、かつ、様々な周辺領域に、これらのメンバの関連画像を表示することも可能である。その一例を図６Ａに示す。
【００９８】
図６Ａに示すように、表示装置１０は、全ての周辺領域ＳＰ１〜ＳＰ４にメンバＡ１〜Ｎ１の関連画像を表示することも可能であり、もちろん、周辺領域ＳＰ１〜ＳＰ４の幾つかにメンバの関連画像を表示することも可能である。また、図６Ａに示すように、表示装置１０は、複数の未来コンテンツのメンバＣ１〜Ｎ１を表示することも可能であり、もちろん同様に、複数の過去コンテンツのメンバＡ１等を表示することも可能である。
【００９９】
［２−２．第２変更例］
また、上記第１実施形態では、コンテンツ検出部１７が、視聴コンテンツの複数のメタデータのうち、１のメタデータを選択して、そのメタデータに基づいて、一の関連性を有するメンバを検出する場合について説明した。しかし、検索に使用するメタデータは、１以上であってもよい。その一例を図６Ｂに示す。
【０１００】
図６Ｂに示す第２変更例では、コンテンツ検出部１７が、３つのメタデータｍＡａ，ｍＡｂ，ｍＡｃを選択した場合を示している。この場合、各メタデータｍＡａ，ｍＡｂ，ｍＡｃに、その視聴コンテンツαと関連を有するグループＡａ，Ａｂ，Ａｃの各メンバＡａ１，Ａｂ２，Ａｃ１が検出されることになる。従って、コンテンツ検出部１７は、視聴コンテンツに対して、複数の関連性を有する複数のメンバを、その関連毎に検出することになる。また、この場合、表示制御部１４は、各メタデータｍＡａ，ｍＡｂ，ｍＡｃに対応したメンバＡａ１，Ａｂ２，Ａｃ１を、図６Ｂに示すように同時に並べて動画像として再生させて、表示させることが望ましい。
【０１０１】
この第２変更例に係る表示装置１０は、このように複数のメタデータのそれぞれ毎に関連コンテンツ（メンバ）を表示することにより、表示した関連コンテンツとユーザの興味とが一致する確率を増やすことが可能である。
【０１０２】
［２−３．第３変更例］
コンテンツ検索部１７が一のメタデータを使用して、メンバを検索した場合も、図６Ｃに示すような変更例が考えられる。図６Ｃは、本実施形態に係る表示装置の第３変更例を説明するための説明図である。
【０１０３】
つまり、検出されたグループＡに含まれるメンバＡｘ１，Ａｙ２，Ａｚ１等は、視聴コンテンツとは異なるが、そのグループＡ内で複数のサブグループＡｘ，Ａｙ，Ａｚに分類することが可能な場合が予想される。このサブグループＡｘ，Ａｙ，Ａｚへの分類も、各メンバＡｘ１，Ａｙ２，Ａｚ１に付加された他のメタデータｘ，ｙ，ｚの関連性に基づいて行うことができる。
【０１０４】
より具体的には、表示制御部１４は、同一の関連性（メタデータｍＡ）を有する複数のメンバＡｘ１，Ａｙ２，Ａｚ１等それぞれのメタデータｘ，ｙ，ｚに基づいて、同一の関連性（メタデータｍＡ）とは異なる関連性（メタデータｘ，ｙ，ｚ）毎に複数のサブグループＡｘ，Ａｙ，Ａｚに、複数のメンバＡｘ１，Ａｙ２，Ａｚ１等を分類する。そして、表示制御部１４は、各サブグループＡｘ，Ａｙ，Ａｚに分類されたメンバを、各サブグループＡｘ，Ａｙ，Ａｚ毎に順次動画再生させて表示させる。
【０１０５】
この場合、表示装置１０は、視聴コンテンツに対する関連性だけでなく、メンバ毎の関連性をもユーザに意識させることができる。このようなコンテンツの提示方法は、ユーザに様々な表示装置１０の楽しみ方を提供することを可能にする。例えば、サブグループを形成するためのメタデータとして、各コンテンツの再生履歴（既再生（ｘ）、未再生（ｙ，ｚ）や、各コンテンツの人気度（高人気で未再生（ｙ），低人気で未再生（ｚ））を使用する。すると、表示装置１０は、このような人気度や履歴をもユーザに認識させることが可能となる。ユーザは、通常、既再生のコンテンツよりも未再生のコンテンツを見ることを欲する傾向にあり、また、人気の低いコンテンツよりも人気の高いコンテンツを欲する傾向にある。そこで、このような傾向を反映させた関連コンテンツの提供を可能にすることができる。
【０１０６】
［２−４．第４変更例］
また、上記第１実施形態では、１のグループ内のメンバを順次再生する場合について説明した。しかし、表示装置１０は、１のグループ内のメンバを同時に提供することも可能である。これらの例を以下の第４変更例〜第６変更例で説明する。
【０１０７】
図７Ａは、本実施形態に係る表示装置の第４変更例を説明するための説明図である。
図７Ａには、表示制御部１４が、同一の関連性を有する複数のメンバの関連画像を並べて表示している場合を示している。つまり、表示制御部１４は、視聴コンテンツβに関連する複数のメンバＢ１〜Ｂ３を動画像として再生部１３に再生させて、それらを周辺領域ＳＰ１に表示させる。この際、表示制御部１４は、例えば、未来コンテンツに関連する複数のメンバＣ１〜Ｃ３，Ｄ１〜Ｄ３を、それぞれ周辺領域ＳＰ２，ＳＰ３に静止画像として表示させることも可能である。更に、表示制御部１４は、例えば、過去コンテンツに関連する複数のメンバＡ１〜Ａ３を周辺領域ＳＰ４に静止画像として表示させることも可能である。
【０１０８】
［２−５．第５変更例］
また、このように同一グループ内の複数のメンバを並べて表示させる場合も、上記第２変更例と同様に、複数のメタデータをメンバの検索に使用することが可能である。この場合の例を図７Ｂに示す。図７Ｂは、本実施形態に係る表示装置の第５変更例を説明するための説明図である。
【０１０９】
図７Ｂに示す第５変更例では、コンテンツ検出部１７が、４つのメタデータｍＡａ，ｍＡｂ，ｍＡｃ，ｍＡｄを選択した場合を示している。この場合、各メタデータｍＡａ，ｍＡｂ，ｍＡｃ，ｍＡｄに、その視聴コンテンツαと関連を有するグループＡａ，Ａｂ，Ａｃ，Ａｄの各メンバＡａ１〜Ａａ３，Ａｂ１〜Ａｂ３，Ａｃ１〜Ａｃ３，Ａｄ１〜Ａｄ３が検出されることになる。従って、コンテンツ検出部１７は、視聴コンテンツに対して、複数の関連性を有する複数のメンバを、その関連毎に検出することになる。また、この場合、表示制御部１４は、グループＡａのメンバＡａ１〜Ａａ３を動画像として周辺領域ＳＰ１に並べて表示し、グループＡｂのメンバＡｂ１〜Ａｂ３を動画像として周辺領域ＳＰ２に並べて表示することが可能である。更に、表示制御部１４は、グループＡｃのメンバＡｃ１〜Ａｃ３を動画像として周辺領域ＳＰ３に並べて表示し、グループＡｄのメンバＡｄ１〜Ａｄ３を動画像として周辺領域ＳＰ４に並べて表示することが可能である。
【０１１０】
この第５変更例に係る表示装置１０も、上記第２変更例と同様に、複数のメタデータのそれぞれ毎に関連コンテンツ（メンバ）を表示することにより、表示した関連コンテンツとユーザの興味とが一致する確率を増やすことが可能である。
【０１１１】
［２−６．第６変更例］
更に、同一グループ内の複数のメンバを並べて表示させる場合も、上記第３変更例と同様に、その複数のメンバをサブグループに分類して、そのサブグループ毎に表示位置を変更することが可能である。この場合の例を図７Ｃに示す。図７Ｃは、本実施形態に係る表示装置の第６変更例を説明するための説明図である。
【０１１２】
つまり、表示制御部１４は、同一の関連性（メタデータｍＡ）を有する複数のメンバＡｗ１〜Ａｚ３等それぞれのメタデータｗ，ｘ，ｙ，ｚに基づいて、同一の関連性（メタデータｍＡ）とは異なる関連性（メタデータｗ，ｘ，ｙ，ｚ）毎に複数のサブグループＡｗ，Ａｘ，Ａｙ，Ａｚに、複数のメンバＡｗ１〜Ａｚｅ等を分類する。そして、表示制御部１４は、サブグループＡｗのメンバＡｗ１〜Ａｗ３を動画像として周辺領域ＳＰ１に並べて表示し、サブグループＡｘのメンバＡｘ１〜Ａｘ３を動画像として周辺領域ＳＰ２に並べて表示することが可能である。更に、表示制御部１４は、サブグループＡｙのメンバＡｙ１〜Ａｙ３を動画像として周辺領域ＳＰ３に並べて表示し、サブグループＡｚのメンバＡｚ１〜Ａｚ３を動画像として周辺領域ＳＰ４に並べて表示することが可能である。
【０１１３】
この場合も、表示装置１０は、上記第３変更例同様に、視聴コンテンツに対する関連性だけでなく、メンバ毎の関連性をもユーザに意識させることが可能である。
【０１１４】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【０１１５】
例えば、上記実施形態では、表示装置１０自身がコンテンツデータを再生する場合について説明したが、表示装置１０は外部の機器が再生したコンテンツデータを取得することも可能である。この場合、メンバの再生は、表示装置１０の再生部１３が行ってもよく、また、表示装置１０は、メンバの再生を外部の再生装置に行わせてもよい。メンバの再生を外部の再生装置に行わせる場合、表示装置１０は必ずしも再生部１３を有する必要はない。
【０１１６】
また、上記実施形態では、コンテンツデータが静止画像等を含む場合、１のコンテンツデータ（メンバ）は、特定のメタデータが共通しており通常ひとまとまりで取り扱われることが多い複数のファイルのまとまり（例えばアルバムなど）であるとして説明した。しかしながら、本発明は、この例に限定されるものではない。例えば、１のコンテンツデータ（メンバ）を、１の静止画像等とすることも可能である。この場合、１のメンバの再生は、そのメンバを所定の時間間隔表示することに相当する。そして、グループとしては、例えば、上記実施形態で１のコンテンツとして扱った複数のファイルのまとまりとすることが可能である。この場合、表示装置１０は、視聴コンテンツに関連したグループに含まれるメンバを、動画像として表示せずに、単に静止画像として表示することも可能である。しかし、表示装置１０は、例えば、メンバを所定の時間間隔表示している際に、メンバの静止画像を点滅させたり、白黒反転させたり、表示位置を動かしたり、静止画像を回転させたりすることにより、静止画像を動画像として表示することが望ましい。
【０１１７】
また、上記各実施形態で説明した一連の処理は、専用のハードウエアにより実行させてもよいが、ソフトウエアにより実行させてもよい。一連の処理をソフトウエアにより行う場合、汎用又は専用のコンピュータにプログラムを実行させることにより、上記の一連の処理を実現することができる。コンピュータは、ＣＰＵ（Ｃｅｎｔｒａｌ  Ｐｒｏｃｅｓｓｉｎｇ  Ｕｎｉｔ）と、ＨＤＤ（Ｈａｒｄ  Ｄｉｓｋ  Ｄｒｉｖｅ）・ＲＯＭ（Ｒｅａｄ  Ｏｎｌｙ  Ｍｅｍｏｒｙ）・ＲＡＭ（Ｒａｎｄｏｍ  Ａｃｃｅｓｓ  Ｍｅｍｏｒｙ）等の記録装置と、ＬＡＮ（Ｌｏｃａｌ  Ａｒｅａ  Ｎｅｔｗｏｒｋ）・インターネット等のネットワークに接続された通信装置と、マウス・キーボード等の入力装置と、フレキシブルディスク等の磁気ディスク、各種のＣＤ（Ｃｏｍｐａｃｔ  Ｄｉｓｃ）・ＭＯ（Ｍａｇｎｅｔｏ  Ｏｐｔｉｃａｌ）ディスク・ＤＶＤ（Ｄｉｇｉｔａｌ  Ｖｅｒｓａｔｉｌｅ  Ｄｉｓｃ）等の光ディスク、半導体メモリ等のリムーバブル記憶媒体等を読み書きするドライブと、モニタなどの表示装置・スピーカやヘッドホンなどの音声出力装置などの出力装置等と、を有してもよい。そして、このコンピュータは、記録装置・リムーバブル記憶媒体に記録されたプログラム、又はネットワークを介して取得したプログラムを実行することにより、上記一連の処理を実行してもよい。
【０１１８】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【図面の簡単な説明】
【０１１９】
【図１】本発明の第１実施形態に係る表示システムの概要構成を説明するための説明図である。
【図２】同実施形態に係る表示装置の構成を説明するための説明図である。
【図３Ａ】同実施形態に係る表示装置の動作を概念的に説明するための説明図である。
【図３Ｂ】同実施形態に係る表示装置の動作を概念的に説明するための説明図である。
【図３Ｃ】同実施形態に係る表示装置の動作を概念的に説明するための説明図である。
【図４】同実施形態に係る表示装置の動作を説明するための説明図である。
【図５Ａ】同実施形態に係る表示装置の動作の例を説明するための説明図である。
【図５Ｂ】同実施形態に係る表示装置の動作の例を説明するための説明図である。
【図５Ｃ】同実施形態に係る表示装置の動作の例を説明するための説明図である。
【図５Ｄ】同実施形態に係る表示装置の動作の例を説明するための説明図である。
【図５Ｅ】同実施形態に係る表示装置の動作の例を説明するための説明図である。
【図５Ｆ】同実施形態に係る表示装置の動作の例を説明するための説明図である。
【図６Ａ】同実施形態に係る表示装置の第１変更例を説明するための説明図である。
【図６Ｂ】同実施形態に係る表示装置の第２変更例を説明するための説明図である。
【図６Ｃ】同実施形態に係る表示装置の第３変更例を説明するための説明図である。
【図７Ａ】同実施形態に係る表示装置の第４変更例を説明するための説明図である。
【図７Ｂ】同実施形態に係る表示装置の第５変更例を説明するための説明図である。
【図７Ｃ】同実施形態に係る表示装置の第６変更例を説明するための説明図である。
【符号の説明】
【０１２０】
１    表示システム
２    コントローラ
３    アンテナ
４    放送局
５    接続線
６    ネットワーク
７    情報配信サーバ
１０  表示装置
１１  コンテンツ記憶部
１２  コンテンツ取得部
１３  再生部
１４  表示制御部
１５  音声出力部
Ｍ    表示画面
α，β，γ      コンテンツ
Ａ，Ｂ，Ｃ      グループ
Ａ１，Ａ２，Ａ３，Ａ４  メンバ
Ｂ１，Ｂ２，Ｂ３        メンバ
Ｃ１，Ｃ２，Ｃ３        メンバ
ｍＡ，ｍＢ，ｍＣ        メタデータ
ＳＰ    再生マーク
【図１】
2010055491.tif 000004
【図２】
2010055491.tif 000005
【図３Ａ】
2010055491.tif 000006
【図３Ｂ】
2010055491.tif 000007
【図３Ｃ】
2010055491.tif 000008
【図４】
2010055491.tif 000009
【図５Ａ】
2010055491.tif 000010
【図５Ｂ】
2010055491.tif 000011
【図５Ｃ】
2010055491.tif 000012
【図５Ｄ】
2010055491.tif 000013
【図５Ｅ】
2010055491.tif 000014
【図５Ｆ】
2010055491.tif 000015
【図６Ａ】
2010055491.tif 000016
【図６Ｂ】
2010055491.tif 000017
【図６Ｃ】
2010055491.tif 000018
【図７Ａ】
2010055491.tif 000019
【図７Ｂ】
2010055491.tif 000020
【図７Ｃ】
2010055491.tif 000021